(57)【要約】【課題】  従来のリフロー炉では温度設定が難しい欠点があった。【解決手段】  本発明のリフロー炉においては、ワーク通路を挟んで十分な距離離間して配置した一方及び他方の側の雰囲気温度調節ユニットを有し、上記各ユニットがワークの進行方向に沿って配設した複数の吹き出しノズルより成る雰囲気吹き出し口と、この雰囲気吹き出し口に隣接してワーク進行方向の上流側及び下流側に配置した雰囲気吸引口とにより構成し、上記各雰囲気吹き出し口から吹き出した雰囲気を、これに隣接した雰囲気吸引口によって吸引せしめるようにする。また、上記一方及び他方の側の雰囲気温度調節ユニットの少なくとも何れか一方が、熱風と冷却風及びこれらの混合雰囲気を作り得るようにする。【選択図】  図２
2005174984.tif 000002
【特許請求の範囲】
【請求項１】
ワーク通路を挟んで十分な距離離間して配置した一方及び他方の側の雰囲気温度調節ユニットを有し、上記各ユニットがワークの進行方向に沿って配設した複数の吹き出しノズルより成る雰囲気吹き出し口と、この雰囲気吹き出し口に隣接してワーク進行方向の上流側及び下流側に配置した雰囲気吸引口とより成り、上記各雰囲気吹き出し口から吹き出した雰囲気を、これに隣接した雰囲気吸引口によって吸引せしめるようにしたことを特徴とするリフロー炉。
【請求項２】
一方及び他方の側の雰囲気温度調節ユニットの少なくとも何れか一方が、熱風と冷却風及びこれらの混合雰囲気を作り得ることを特徴とする請求項１記載のリフロー炉。
【発明の詳細な説明】
【技術分野】
【０００１】
本発明はリフロー炉、特に、孔基板のハンダ付孔用リフロー炉に関するものである。
【背景技術】
【０００２】
リフローハンダ付けのためワークに熱風や冷風を加えて温度制御するリフロー炉は知られている（特許文献１）。
【特許文献１】特開平８−２９３６６６号公報（図１）
【０００３】
図４及び図５は従来の他のリフロー炉の縦断正面図を示し、１は上側雰囲気温度調節ユニット、２は下側雰囲気温度調節ユニット、３はワークの進行方向に沿って互いに隣接して配置した複数の例えば８個の雰囲気吹き出し口、４は上記互いに隣接する雰囲気吹き出し口３間に配置した雰囲気吸引口、５は上記上側雰囲気吹き出し口３と下側雰囲気吹き出し口３間を水平に搬送されハンダ付処理される半導体基板等のワーク、１５は断熱材を示す。
【発明の開示】
【発明が解決しようとする課題】
【０００４】
従来のリフロー炉においては、ワーク５がワーク炉内に挿入されていない状態では図４の矢印に示すように上側ユニット１の吹き出し口３からの風は下側ユニット２の対応する位置にある吸引口４によって吸い込まれ、下側ユニット２の吹出し口３からの風は上側ユニット１の対応する吸引口４によって吸い込まれる。
【０００５】
図５はリフロー炉内にワーク５が挿入された状態でこの場合には風の流れが上記ワーク５によって妨げられ、上側ユニット１の吹き出し口３からの風はＵターンしてこの上側ユニット１の吹き出し口３に隣接する上側ユニット１の吸引口４によって吸い込まれるようになる。
【０００６】
下側ユニット２からの風も同様にしてＵターンするようになる。
【０００７】
上記のように図４及び図５に示す従来のリフロー炉では風の流れがワーク５の有無によって変化するため温度設定条件が一時的に変化し、ワーク５がリフロー炉を通過した後次のワークがリフロー炉に入る迄は、温度設定条件が元の値になる迄十分な時間経過することを必要とし、ワークの連続投入は不可能となり、能率が悪くコスト高となる欠点があった。
【０００８】
また、図４に示すようにワーク５が無いときは上側ユニット１と下側ユニット２間で熱風の交換がなされる関係上、上側ユニット１と下側ユニット２の温度設定は略等しい値にしなければならない。この結果、ワーク５のＡ面とＢ面の温度も略同一となり、Ａ面のハンダ付けの後Ｂ面のハンダ付けを行なうような場合、Ａ面のハンダ付け部品が落下するという不都合があった。
【０００９】
本発明はこのような欠点を除くようにしたものである。
【課題を解決するための手段】
【００１０】
本発明のリフロー炉は、ワーク通路を挟んで十分な距離離間して配置した一方及び他方の側の雰囲気温度調節ユニットを有し、上記各ユニットがワークの進行方向に沿って配設した複数の吹き出しノズルより成る雰囲気吹き出し口と、この雰囲気吹き出し口に隣接してワーク進行方向の上流側及び下流側に配置した雰囲気吸引口とより成り、上記各雰囲気吹き出し口から吹き出した雰囲気を、これに隣接した雰囲気吸引口によって吸引せしめるようにしたことを特徴とする。
【００１１】
また、本発明のリフロー炉においては、上記一方及び他方の側の雰囲気温度調節ユニットの少なくとも何れか一方が、熱風と冷却風及びこれらの混合雰囲気を作り得ることを特徴とする。
【発明の効果】
【００１２】
本発明のリフロー炉によれば、ワークの有無に関係なく炉内の温度設定を安定して維持することができ、従って上側ユニットと下側ユニットに例えば40℃程度の温度差を設けてＡ面の部品の落下を防ぐことができるようになる。また、鉛フリーハンダを用いても良品ハンダ付を行なうことができるようになる。
【発明を実施するための最良の形態】
【００１３】
以下図面によって本発明の実施例を説明する。
【実施例１】
【００１４】
本発明においては図１及び図２に示すように上側ユニット１及び下側ユニット２の夫々に複数の例えば８個の吹き出し口３を互いに隣接せしめて有する例えば横300mm，縦600mmの矩形の吹き出し開口６を設け、この開口６を所望のメッシュの網板７によって塞ぐと共に、この吹き出し開口６の上流側及び下流側に雰囲気吸引口８を夫々配置せしめる。また、上側ユニット１と下側ユニット２の開口６間の間隔を従来の間隔より略20mm大きい例えば140mmとし、ワーク５が挿入されていない状態でも図２に示すように各ユニット１または２の吹き出し口３から出る風はそのユニット１または２の雰囲気吸引口８によって夫々吸引されるようにする。
【００１５】
本発明のリフロー炉は、上記のような構成であるから、ワーク５が無い状態でも上側ユニット１の風と下側ユニット２の風が互いに混じり合うことがなく、従って上下ユニット間に例えば40℃の温度差を形成して部品落下等の従来の欠点を一掃できるようになる。
【００１６】
また、各ユニット夫々からの吹き出し風を同一ユニットの吸引口で吸引できるため安定した温度設定を行なうことができるようになる。
【実施例２】
【００１７】
本発明の他の実施例においては図３に示すように吹き出し口３に対する熱風ダクト９の上流側に冷気導入口１０を設け、必要に応じて吹き出し口３から熱風と冷気を混合した任意の温度の風を吹き出し得るようにする。なお、１１はヒーター、１２は冷気導入ダクト、１３は冷気導入バルブ、１４はブロワーである。
【００１８】
本発明のこの実施例によればワーク５が熱風によって加熱処理された後直ちに冷却風によってワーク５を例えば240℃から直ちに90℃に冷却できるようになるので鉛フリーハンダを用いた場合でもきれいなハンダ付が得られるようになる。
【００１９】
なお、本発明においてはワーク５の送り方向に沿って上記吹き出し口開口６と吸引口８の組を複数配置せしめても良い。
【図面の簡単な説明】
【００２０】
【図１】本発明のリフロー炉の雰囲気温度調節ユニットの平面図である。
【図２】本発明のリフロー炉の作動説明図である。
【図３】本発明のリフロー炉における雰囲気温度調節ユニットの他の実施例の側面図である。
【図４】従来のリフロー炉の作動説明図である。
【図５】従来のリフロー炉の作動説明図である。
【符号の説明】
【００２１】
１  上側雰囲気温度調節ユニット
２  下側雰囲気温度調節ユニット
３  雰囲気吹き出し口
４  雰囲気吸引口
５  ワーク
６  吹き出し開口
７  網板
８  雰囲気吸引口
９  ダクト
１０  冷気導入口
１１  ヒーター
１２  冷気導入ダクト
１３  冷気導入バルブ
１４  ブロワー
１５  断熱材
【図１】
2005174984.tif 000003
【図２】
2005174984.tif 000004
【図３】
2005174984.tif 000005
【図４】
2005174984.tif 000006
【図５】
2005174984.tif 000007
【手続補正書】
【提出日】平成16年11月25日(2004.11.25)
【手続補正１】
【補正対象書類名】明細書
【補正対象項目名】００１８
【補正方法】変更
【補正の内容】
【００１８】
本発明のこの実施例によればワーク５が熱風によって加熱処理された後直ちに冷却風によってワーク５を例えば240℃から直ちに90℃に冷却できるようになるので鉛フリーハンダを用いた場合でもきれいなハンダ付が得られるようになる。この実施例では炉内に外部の有害物質が入り込み、また、炉内のフラックスが再び炉内に入り込むおそれがあるため上記冷気導入口１０と、上記熱風ダクト９に対する炉内雰囲気の導入口に触媒フィルターを設けてこれらを除去せしめるのが好ましい。